(57)【要約】【課題】定期的に複数のタグから信号が送信されても衝突する可能性を低くし、管理精度を高めることのできるタグ管理システムを提供することを目的とする。【解決手段】複数のタグと、複数のタグに対して確認信号を発報する発報装置と、確認信号を受信した１つ以上の前記タグそれぞれから当該タグを識別する識別信号を定期的に受信する受信装置とからなるタグ管理システムにおいて、発報装置は時間長Ｔ０を１周期として確認信号を周期的に発報し、複数のタグそれぞれは、Ｔ０＝Ｔ１×ｍ（ｍは１以上の整数）を満たす時間長Ｔ１からなる各タイムスロットの計時を行うタイマを備えており、確認信号を受信すると、前記タイマをリセットし、その後、時間長Ｔ０以上である特定の周期毎に少なくとも１回、一のタイムスロット内で識別信号を受信装置へ送信する。【選択図】図５
2011071717.tif 000002
【特許請求の範囲】
【請求項１】
複数のタグと、確認信号を発報する発報装置と、前記確認信号を受信した１つ以上のタグそれぞれから当該タグを識別する識別信号を定期的に受信する受信装置とからなるタグ管理システムであって、
前記発報装置は、時間長Ｔ０を１周期として、前記確認信号を周期的に発報し、
前記複数のタグそれぞれは、
Ｔ０＝Ｔ１×ｍ（ｍは１以上の整数）を満たす時間長Ｔ１からなる各タイムスロットの計時を行うタイマと、
前記確認信号を受信する受信手段と、
前記確認信号が受信されると、前記タイマをリセットするリセット手段と、
前記タイマのリセット後、時間長Ｔ０以上である特定の周期毎に少なくとも１回、前記タイマにて計時される一のタイムスロット内で前記識別信号を前記受信装置へ送信する送信手段とを備える
ことを特徴とするタグ管理システム。
【請求項２】
前記発報装置は、前記確認信号を送信する際に、識別信号の送信に用いるべき一のタイムスロットを指定する指定情報をも発報し、
前記送信手段は、前記発報装置から発報された指定情報にて指定された一のタイムスロットで、前記識別信号を送信する
ことを特徴とする請求項１に記載のタグ管理システム。
【請求項３】
前記識別信号は、ＵＨＦ帯を用いた無線通信により送信され、
前記送信手段は、
前記ＵＨＦ帯のうち複数の周波数チャネルから一の周波数を選択して、選択した一の周波数にて前記識別信号を送信する
ことを特徴とする請求項１に記載のタグ管理システム。
【請求項４】
前記識別信号の送信開始から終了までの時間長Ｔは、Ｔ１≧Ｔ×ｎ（ｎは２以上の整数）を満たす値であり、
前記送信手段は、前記一のタイムスロット内において、前記識別信号をｎ回送信する
ことを特徴とする請求項１に記載のタグ管理システム。
【請求項５】
前記送信手段は、
前記リセット手段でタイマがリセットされた後、所定の時間が経過するまでの間は前記特定の周期で前記識別信号を送信し、前記所定の時間の経過後においては、前記特定の周期よりも長い周期毎に少なくとも１回、前記タイマにて計時される一のタイムスロット内で前記識別信号を送信する
ことを特徴とする請求項１に記載のタグ管理システム。
【請求項６】
前記発報装置は、複数のエリアからなるエリア群に入場するための入り口に配置され、
前記受信装置は、前記タグ管理システムにおいて複数台存在し、複数の受信装置それぞれは、エリア毎に配置されており、
各エリアには、電力を消費することで動作する電気機器が備えられており、
前記タグ管理システムは、さらに、
前記エリア毎に、当該エリアに備えられた受信装置が受信した識別信号が示すタグの個数に応じて、当該エリアに備えられた電気機器の制御を行う機器制御装置を備える
ことを特徴とする請求項１に記載のタグ管理システム。
【請求項７】
前記エリア群において複数箇所に入り口が設けられ、
前記発報装置は、前記タグ管理システムにおいて複数台存在し、各発報装置は前記複数の入り口毎に配置されており、
前記タグ管理システムは、さらに、
前記複数の発報装置が発報する確認信号の発報タイミングが同一となるように制御する管理装置を備える
ことを特徴とする請求項６に記載のタグ管理システム。
【請求項８】
前記タグ管理システムにおいて、前記エリア群は複数存在し、
前記発報装置は、前記タグ管理システムにおいて複数台存在し、各発報装置は前記エリア群毎に配置されており、
前記タグ管理システムは、さらに、
前記複数の発報装置が発報する確認信号の発報タイミングが同一となるように制御する管理装置を備える
ことを特徴とする請求項６に記載のタグ管理システム。
【発明の詳細な説明】
【技術分野】
【０００１】
本発明は、複数のタグそれぞれから定期的に送信された信号を受信することで、各タグを管理する管理システムに関する。  
【背景技術】
【０００２】
近年、タグを保持する利用者のプレゼンス管理（所在管理）を行うシステムが提案されている。
このシステムでは、管理対象となるエリアに備えられた受信装置が、複数の利用者それぞれが保持するタグから定期的に送信される信号を受信することで、当該エリアに存在するタグの個数を管理する。
【０００３】
ここで、複数のタグそれぞれから定期的に信号を送信する技術が、特許文献１に記載されている。特許文献１では、各タグにタイマを設定し、通常はタグをスリープ状態にして、タイマにて設定された時間になると、各タグを送信タイミングを異ならせるために、それぞれをずらして起動させて信号を送信する技術が開示されている。
【先行技術文献】
【特許文献】
【０００４】
【特許文献１】特開２００８−８７８７６号公報
【発明の概要】
【発明が解決しようとする課題】
【０００５】
しかしながら、各タグのタイマは必ずしも一致しているとは限らない。そのため、各タグをそれぞれずらして起動して信号を送信したとしても、図１２（ａ）〜（ｃ）にて示すような信号の衝突が起こる可能性がある。図１２（ａ）、（ｂ）それぞれは、タグ＃１及びタグ＃２それぞれが送信する信号の一部が重なることによる衝突を示し、（ｃ）は全体が重なることによる衝突を示している。
【０００６】
このような衝突が起こると、信号の受信側では、正常に受信できない場合があり、十分な管理が行えない可能性がある。
そこで、定期的に複数のタグから信号が送信されても衝突する可能性を低くし、管理精度を高めることのできるタグ管理システムを提供することを目的とする。
【課題を解決するための手段】
【０００７】
上記目的を達成するために、本発明は、複数のタグと、確認信号を発報する発報装置と、前記確認信号を受信した１つ以上のタグそれぞれから当該タグを識別する識別信号を定期的に受信する受信装置とからなるタグ管理システムであって、前記発報装置は、時間長Ｔ０を１周期として、前記確認信号を周期的に発報し、前記複数のタグそれぞれは、Ｔ０＝Ｔ１×ｍ（ｍは１以上の整数）を満たす時間長Ｔ１からなる各タイムスロットの計時を行うタイマと、前記確認信号を受信する受信手段と、前記確認信号が受信されると、前記タイマをリセットするリセット手段と、前記タイマのリセット後、時間長Ｔ０以上である特定の周期毎に少なくとも１回、前記タイマにて計時される一のタイムスロット内で前記識別信号を前記受信装置へ送信する送信手段とを備えることを特徴とする。
【発明の効果】
【０００８】
この構成によると、タグ管理システムにおける複数のタグそれぞれは、発報装置から発報される確認信号の受信を契機にタイマをリセットするので、その後、タグそれぞれが計時するタイムスロットの時間長で送信される識別信号は、一部重複による衝突が生じることはない。なぜなら、一のタグが確認信号を受信した後、他のタグが確認信号の受信するのは周期Ｔ０の整数倍の時間経過後、つまりは時間長Ｔ１の整数倍の時間経過後となっているので、前記一のタグと前記他のタグそれぞれが計時する各タイムスロットにずれが生じることはないからである。また、通常、図１２（ａ）、（ｂ）にて示すような信号の一部が重複する衝突が起こる確率は、図１２（ｃ）にて示すような信号全体が重複する衝突が起こる確率よりも大きい。そのため、管理システムは、定期的に複数の信号が送信されても衝突する可能性を低くし、管理精度を高めることができる。
【０００９】
ここで、前記発報装置は、前記確認信号を送信する際に、識別信号の送信に用いるべき一のタイムスロットを指定する指定情報をも発報し、前記送信手段は、前記発報装置から発報された指定情報にて指定された一のタイムスロットで、前記識別信号を送信するとしてもよい。
この構成によると、タグ管理システムの発報装置側で、各タグが使用するタイムスロットを指定している。そのため、発報装置が各タグに対して指定すべきタイムスロットが重複しないように指定することで、衝突する可能性を低くすることができる。
【００１０】
ここで、前記識別信号は、ＵＨＦ帯を用いた無線通信により送信され、前記送信手段は、前記ＵＨＦ帯のうち複数の周波数チャネルから一の周波数を選択して、選択した一の周波数にて前記識別信号を送信するとしてもよい。
この構成によると、タグ管理システムの各タグは、識別信号をＵＨＦ帯のうち複数の周波数チャネルから一の周波数を選択し、選択した周波数で送信するので、衝突の可能性がさらに低くなる。
【００１１】
ここで、前記識別信号の送信開始から終了までの時間長Ｔは、Ｔ１≧Ｔ×ｎ（ｎは２以上の整数）を満たす値であり、前記送信手段は、前記一のタイムスロット内において、前記識別信号をｎ回送信するとしてもよい。
この構成によると、タグ管理システムの各タグは、一のタイムスロット内で識別信号を複数回送信するので、通信における誤り率を低減することができる。
【００１２】
ここで、  前記送信手段は、前記リセット手段でタイマがリセットされた後、所定の時間が経過するまでの間は前記特定の周期で前記識別信号を送信し、前記所定の時間の経過後においては、前記特定の周期よりも長い周期毎に少なくとも１回、前記タイマにて計時される一のタイムスロット内で前記識別信号を送信するとしてもよい。
この構成によると、各タグは、タイマをリセットしてから所定の時間が経過すると識別信号を送信する周期を、現在の周期から長い周期へと変更するので、従来タグに備わっている電池の寿命を延ばすことができる。
【００１３】
ここで、前記発報装置は、複数のエリアからなるエリア群に入場するための入り口に配置され、前記受信装置は、前記タグ管理システムにおいて複数台存在し、複数の受信装置それぞれは、エリア毎に配置されており、各エリアには、電力を消費することで動作する電気機器が備えられており、前記タグ管理システムは、さらに、前記エリア毎に、当該エリアに備えられた受信装置が受信した識別信号が示すタグの個数に応じて、当該エリアに備えられた電気機器の制御を行う機器制御装置を備えるとしてもよい。
【００１４】
この構成によると、タグ管理システムは、エリアそれぞれに対して、当該エリアに存在するタグの個数に応じて当該エリアに備えられた電気機器を制御するので、当該エリアに居るタグの所有者にとって当該エリアを適切な環境とすることができる。
ここで、前記エリア群において複数箇所に入り口が設けられ、前記発報装置は、前記タグ管理システムにおいて複数台存在し、各発報装置は前記複数の入り口毎に配置されており、前記タグ管理システムは、さらに、前記複数の発報装置が発報する確認信号の発報タイミングが同一となるように制御する管理装置を備えるとしてもよい。
【００１５】
この構成によると、複数の入り口毎に発報装置が備えられており、これら発報装置は確認信号を送信するタイミングが同一となるよう制御されている。そのため、各タグはどの発報装置から確認信号を受信しても、識別信号の送信時においては、他のタグが送信する識別信号と一部重複することはない。これにより、管理システムは、複数の入り口がある場合でも、定期的に複数の信号が送信されても衝突する可能性を低くし、管理精度を高めることができる。
【００１６】
ここで、前記タグ管理システムにおいて、前記エリア群は複数存在し、前記発報装置は、前記タグ管理システムにおいて複数台存在し、各発報装置は前記エリア群毎に配置されており、前記タグ管理システムは、さらに、前記複数の発報装置が発報する確認信号の発報タイミングが同一となるように制御する管理装置を備えるとしてもよい。
この構成によると、タグ管理システムは、複数のエリア群毎に発報装置が備えられており、これら発報装置は確認信号を送信するタイミングが同一となるよう制御されている。そのため、各タグはどの発報装置から確認信号を受信しても、識別信号の送信時においては、他のタグが送信する識別信号と一部重複することはない。これにより、管理システムは、複数のエリア群がある場合でも、各エリア群における管理精度を高めることができる。
【図面の簡単な説明】
【００１７】
【図１】プレゼンス管理システム１の概要を示す図である。
【図２】タグリーダ１０ａ、１０ｂの構成を示すブロック図である。
【図３】ＬＦ起動信号が発報されるタイミングを示す図である。
【図４】タグ２０ａの構成を示すブロック図である。
【図５】タグ２０ａ、２０ｂが送信する識別信号の送信のタイミングを示す図である。
【図６】プレゼンスリーダ３０ａの構成を示すブロック図である。
【図７】管理制御装置４０ａの構成を示すブロック図である。
【図８】プレゼンス管理システム１の動作概要を示す流れ図である。
【図９】送信許可フラグの変更処理の動作を示す流れ図である。
【図１０】識別信号送信処理の動作を示す流れ図である。
【図１１】識別信号の送信周期を変更した場合における送信のタイミングを示す図である。
【図１２】（ａ）及び（ｂ）は信号の部分衝突を示し、（ｃ）は信号の全体衝突を示す図である。
【発明を実施するための形態】
【００１８】
以下、本発明の一実施形態であるプレゼンス管理システム１について、図面を参照しながら説明する。
１．実施の形態１
１．１  概要
実施の形態に係るプレゼンス管理システム１は、図１にて示すように、タグリーダ（以下、「ＴＲ」ともいう。）１０ａ、１０ｂと、タグ２０ａ〜２０ｇと、プレゼンスリーダ（以下、「ＰＲ」ともいう。）３０ａ〜３０ｄと、管理制御装置４０ａ〜４０ｄと、ゲート制御装置（以下、「ＧＵ」ともいう。）５０と、照明機器６０ａ〜６０ｄと、空調機器７０ａ〜７０ｄとから構成されている。
【００１９】
プレゼンス管理システム１は、管理対象フロア２内のエリアＡ〜Ｄにおいて、利用者の所在状況、例えば、エリア毎に何人の利用者がいるかを管理し、その状況に応じて照明機器６０ａ〜６０ｄの照度や、空調機器７０ａ〜７０ｄの温度や風力を制御する。
ＴＲ１０ａは、利用者が管理対象フロア２への入室時において、当該利用者に対して扉８０の開錠を許可するか否かの認証処理に用いられるものである。ＴＲ１０ｂは、利用者が管理対象フロア２からの退出時において、当該利用者に対する認証処理に用いられるものである。
【００２０】
また、ＴＲ１０ａ及び１０ｂは、認証処理を行うために、一定の周期（Ｔ０）毎に、ＬＦ（ＬｏｗＦｒｅｑｕｅｎｃｙ）帯（１３５ｋＨｚ帯）の一周波数を用いてＬＦ起動信号を発報している。
タグ２０ａ〜２０ｇは、管理対象フロア２への入室時及び管理対象フロア２からの退出時における認証処理に用いられる。さらに、タグ２０ａ〜２０ｂは、利用者が管理対象フロア２への入室した後、退出するまでの間、特定の周期毎に１回、ＵＨＦ（ＵｌｔｒａＨｉｇｈ Ｆｒｅｑｕｅｎｃｙ）帯（４００ＭＨｚ帯）の一周波数を用いて当該タグを識別する識別情報を含む識別信号を送信する。ここで、識別情報とは、具体的には、タグ２０ａ〜２０ｇそれぞれに一意に与えられた識別子である。
【００２１】
ＰＲ３０ａ〜３０ｄは、図１にて示すようにエリアＡ〜Ｄに配置されている。ＰＲ３０ａ〜３０ｄは、配置されたエリアを通信可能な範囲とし、配置されたエリア内に存在する１つ以上のタグから送信された識別信号を受信するものである。
管理制御装置４０ａ〜４０ｄは、図１にて示すようにエリアＡ〜Ｄに配置されており、各管理制御装置は、配置されたエリア内に存在する１つ以上のタグの個数、つまりは存在する利用者数に応じて、当該エリアに配置された照明機器及び空調機器の制御を行うものである。
【００２２】
ＧＵ５０は、ＴＲ１０ａ及びＴＲ１０ｂの認証処理の結果に応じて、扉８０の電子錠の開錠及び施錠を制御するものである。
以下、各装置の詳細について説明する。
１．２  タグリーダ１０ａ
タグリーダ１０ａは、図２にて示すように、Ｉ／Ｆ（ＩｎｔｅｒＦａｃｅ）部１１０と、通知部１３０と、ＬＦ帯送受信部１４０と、小電力受信部（ＵＨＦ帯受信部）１５０と、ＨＦ(Ｈｉｇｈ Ｆｒｅｑｕｅｎｃｙ)帯送受信部１６０と記憶部１７０と、制御部１８０とから構成される。
【００２３】
（１）Ｉ／Ｆ部１１０
Ｉ／Ｆ部１１０は、ＧＵ５０と予め定められた通信規格（例えばＲＳ−４８５規格）に従って通信を実行する機能を有する。具体的には、Ｉ／Ｆ部１１０は、ＧＵ５０から送信されてくる信号を制御部１８０に伝達する機能と、制御部１８０から伝達されてきた認証結果の情報をＧＵ５０に送信する機能を有する。
【００２４】
（２）通知部１３０
通知部１３０は、タグリーダ１０ａの化粧パネルに備えられたＬＥＤあるいはＬＣＤ（Ｌｉｑｕｉｄ Ｃｒｙｓｔａｌ Ｄｉｓｐｌａｙ）を用いてタグリーダ１０ａにおけるエラーの発生等の状態の通知や、認証に係る情報をユーザに通知する機能を有する。
（３）ＬＦ帯送受信部１４０
ＬＦ帯送受信部１４０は、タグ２０ａ〜２０ｇと通信を実行するものであり、制御部１８０から伝達されたＬＦ起動信号を変調して、ＬＦ帯でＬＦアンテナ１４１を介して送信する機能と、ＬＦ帯で送信されてきた、タグの識別情報を含む識別信号を受信して制御部１８０に伝達する機能とを有する。また、ＬＦ帯送受信部１４０は、タグ２０ａ〜２０ｇから送信されてきた信号を受信した旨を示す応答用ＬＦ起動信号を変調して、ＬＦ帯でＬＦアンテナ１４１を介して送信する機能をも有する。
【００２５】
ＬＦ起動信号は、タグ２０ａ〜２０ｇとの通信が行われる前においては、タグ２０ａ〜２０ｇの識別情報を要求する旨を少なくとも含む。また、ＬＦ起動信号は、タグ２０ａ〜２０ｇとの通信により識別信号を受信した後においては、識別情報を受け取った旨の内容に加えて、プレゼンス管理のための識別信号の送信を許可する指示（以下、「第１コマンド」という。）を少なくとも含む。
【００２６】
（４）小電力受信部１５０
小電力受信部１５０は、タグ２０ａ〜２０ｇからの信号をＵＨＦ帯でＵＨＦアンテナ１５１を介して受信し、受信した信号を復調して制御部１８０に伝達する機能を有する。
（５）ＨＦ帯送受信部１６０
ＨＦ帯送受信部１６０は、非接触ＩＣカード（図示せず）と通信を実行するものであり、制御部１８０から伝達された非接触ＩＣカードの識別情報を要求する信号を変調して、ＨＦ帯（１３．５６MHz帯）でＨＦアンテナ１６１を介して送信する機能と、ＨＦ帯で送信されてきた信号を受信して制御部１８０に伝達する機能とを有する。
【００２７】
（６）記憶部１７０
記憶部１７０は、ＨＤＤ（Ｈａｒｄ Ｄｉｓｃ Ｄｒｉｖｅ）、メモリ等を含んで構成され、タグリーダ１０ａが動作上必要とする各種データ、プログラムを記憶する機能を有する。また、記憶部１７０は、認証の際に参照する認証情報１７１を記憶している。
ここで、認証情報１７１は、管理対象フロア２の入退出が許可されたユーザが保持するタグ２０ａ〜２０ｇ及び非接触ＩＣカードを識別する識別子を含むものである。
【００２８】
（７）制御部１８０
制御部１８０は、記憶部１７０に記憶されているプログラムを実行することによりタグリーダ１０ａの各部を制御する機能を有する。
制御部１８０は、ＨＦ帯送受信部１６０からＨＦ帯送受信部１６０が読み取った非接触ＩＣカードの識別情報を伝達されて認証情報１７１を用いて認証を行う機能を有する。
【００２９】
制御部１８０は、以下の機能も有する。
制御部１８０は、図３にて示すように、所定の周期Ｔ０（＝ｎ×Ｔ１（ｎは１以上の整数））毎に１回、Ｔ１の時間長において、ＬＦ起動信号が発報されるようＬＦ帯送受信部１４０の動作を制御する。本実施の形態では、ｎ＝５としている。ここで、時間長Ｔ１は、タグ２０ａ〜２０ｇからＵＨＦ帯で送信される識別信号の送信開始から終了までの時間長である。
【００３０】
また、制御部１８０は、周期Ｔ０のうちＬＦ起動信号を発報していない時間帯のうち一の時間帯Ｔ１で、タグからＬＦ帯で送信された識別信号を受け取り、受け取った識別信号に含まれる識別子と認証情報１７１とを用いた認証処理を行う。その後、制御部１８０は、認証結果をＩ／Ｆ部１１０を介してＧＵ５０へ送信する機能を有する。
１．３  タグリーダ１０ｂ
ここでは、タグリーダ１０ｂについて説明するが、構成要素は、図２にて示すようにタグリーダ１０ａと同様である。タグリーダ１０ａと異なる点は、タグリーダ１０ｂが発報するＬＦ起動信号の内容である。
【００３１】
以下、その異なる点について説明する。
タグリーダ１０ｂのＬＦ帯送受信部１４０は、タグ２０ａ〜２０ｇとの通信が行われる前においては、タグリーダ１０ａと同様に、タグ２０ａ〜２０ｇの識別情報を要求する旨を少なくとも含むＬＦ起動信号を発報する。
タグリーダ１０ｂのＬＦ帯送受信部１４０は、タグ２０ａ〜２０ｇとの通信により識別信号を受信した後においては、識別情報を受け取った旨の内容に加えて、プレゼンス管理のための識別信号の送信を禁止する指示（以下、「第２コマンド」という。）を少なくとも含むＬＦ起動信号を発報する。
【００３２】
１．４  タグ２０ａ〜２０ｇ
タグ２０ａ〜２０ｇの構成要素は同じであるので、タグ２０ａについてのみ説明する。
タグ２０ａは、図４にて示すように、ＬＦ帯送受信部２１０、小電力送信部（ＵＨＦ帯送信部）２２０、メモリ２３０、ボタン２４０、タイマ部２５０、電池２６０及び制御部２７０から構成されている。
【００３３】
（１）ＬＦ帯送受信部２１０
ＬＦ帯送受信部２１０は、ＬＦアンテナ２１１を介して、タグリーダ１０ａ及び１０ｂからのＬＦ起動信号を受信して、受信したＬＦ起動信号を復調して制御部２７０に伝達する機能と、制御部２７０から伝達されてきた識別信号を変調してＬＦアンテナ２１１を介して送信する機能とを有する。
【００３４】
（２）小電力送信部２２０
小電力送信部２２０は、制御部２７０から伝達されてきた識別信号を変調してＵＨＦアンテナ２２１を介して送信する機能を有する。
（３）メモリ２３０
メモリ２３０は、識別情報２３１を記憶している。
【００３５】
（４）ボタン２４０
ボタン２４０は、ユーザからの操作を受け付けるボタンであり、ユーザの押下を受け付けた場合に、その旨を制御部２７０に伝達する機能を有する。
（５）タイマ部２５０
タイマ部２５０は、時間を計時する機能を有している。
【００３６】
具体的には、タイマ部２５０は、水晶発振器と、値０から時間長Ｔ１までの時間をカウントする第１のカウンタと、値０から時間長Ｔ２（＝ｍ×Ｔ０＝ｍ×ｎ×Ｔ１）までの時間をカウントする第２のカウンタとを有している。なお、ｍは１以上の整数であり、本実施の形態ではｍ＝３としている。
第１のカウンタは、水晶発振器にて発振されるクロックにより初期値０から時間長Ｔ１までカウントすると、初期値０に戻り、再度カウントを行う。
【００３７】
第２のカウンタは、水晶発振器にて発振されるクロックにより初期値が０から時間長Ｔ２までカウントすると、初期値０に戻り、再度カウントを行う。
（６）電池２６０
電池２６０は、ＵＨＦ帯で識別信号を送信するための電力を小電力送信部２２０と制御部２７０に供給する機能を有する。
【００３８】
（７）制御部２７０
制御部２７０は、タグ２０ａの各部を制御する機能を有する。制御部２７０は、図４にて示すように、ＬＦ帯送受信制御部２７１、タイマリセット部２７２、フラグ記憶部２７３及びＵＨＦ帯送信制御部２７４を有している。
（７−１）フラグ記憶部２７３
フラグ記憶部２７３は、ＵＨＦ帯での識別信号の送信の可否を示す送信許可フラグを記憶している。具体的には、送信許可フラグは、０又は１の値であり、値０は送信を禁止する旨を示し、値１は送信を許可する旨を示す。
【００３９】
（７−２）ＬＦ帯送受信制御部２７１
ＬＦ帯送受信制御部２７１は、ＬＦ帯での通信に係る制御を行うものである。
ＬＦ帯送受信制御部２７１は、ＬＦ帯送受信部２１０から伝達されてきた、識別信号を要求する旨を含むＬＦ起動信号に応じて、メモリ２３０から識別情報２３１を読み出し、ＬＦ帯で送信すべき識別信号としてＬＦ帯送受信部２１０に伝達する機能を有する。
【００４０】
また、ＬＦ帯送受信部２１０からタグ２０ａから識別情報を受け取った旨の内容と第１コマンドとを含むＬＦ起動信号が伝達されると、ＬＦ帯送受信制御部２７１は、送信許可フラグの値を１に設定する。
ＬＦ帯送受信部２１０からタグ２０ａから識別情報を受け取った旨の内容と第２コマンドとを含むＬＦ起動信号が伝達されると、ＬＦ帯送受信制御部２７１は、送信許可フラグの値を０に設定する。
【００４１】
ＬＦ帯送受信制御部２７１は、送信許可フラグの値の設定が完了すると、その旨をタイマリセット部２７２へ通知する。
（７−３）タイマリセット部２７２
タイマリセット部２７２は、認証処理時において、第１及び第２のカウンタそれぞれをリセットするものである。
【００４２】
タイマリセット部２７２は、  ＬＦ帯送受信制御部２７１から、送信許可フラグに対する値の設定完了の通知を受け取ると、第１及び第２のカウンタそれぞれをリセットする、つまり初期値へ戻す。
（７−４）ＵＨＦ帯送信制御部２７４
ＵＨＦ帯送信制御部２７４は、ＵＨＦ帯での通信に係る制御を行うものである。
【００４３】
ＵＨＦ帯送信制御部２７４は、時間長Ｔ０内における時間長Ｔ１からなる５つのタイムスロットのうち一のタイムスロットを選択する。具体的には、ＵＨＦ帯送信制御部２７４は、タイムスロットの個数を予め記憶しておき（ここでは、値５）、記憶している値のうち一の値をランダムに選択する。
ＵＨＦ帯送信制御部２７４は、第１及び第２のカウンタを用いて、時間長Ｔ２内において、時間長Ｔ０で分割した３つの時間長のうち一の時間長Ｔ０において選択した一のタイムスロットの時間帯に到達すると、送信許可フラグが１である場合に、識別信号を小電力送信部２２０に送信させる。具体的には、ＵＨＦ帯送信制御部２７４は、初期値が１である制御用カウンタを予め有している。ＵＨＦ帯送信制御部２７４は、タイマ部２５０の第１のカウンタにて時間長Ｔ１が計時される度に、つまり初期値０へ戻る度に、制御用カウンタの値を１ずつカウントアップする。そして、ランダムに選択した一の値と同値になったときに、ＵＨＦ帯送信制御部２７４は、選択した一のタイムスロットの時間帯に到達したと判断する。また、タイマリセット部２７２による第１及び第２のカウンタがリセットされた場合、及び第２のカウンタが時間長Ｔ２を計時する度にリセットされた場合、ＵＨＦ帯送信制御部２７４は、当該制御用カウンタを初期値へリセットする。
【００４４】
また、ＵＨＦ帯送信制御部２７４は、タグリーダ１０ａ及び１０ｂからの要求信号を受信した時のみボタン２４０の押下による識別信号を小電力送信部２２０に送信させる。
（８）識別信号の送信の具体例
ここでは、ＵＨＦ帯での識別信号の送信のタイミングについて、具体例を用いて説明する。
【００４５】
図５は、タグ２０ａと２０ｂそれぞれからＵＨＦ帯での識別信号の送信を行うタイミングを示す図である。
タグリーダ１０ａがタグ２０ａからの識別情報を受け取った旨の内容と第１コマンドとを含むＬＦ起動信号ｔ１０を送信する。タグ２０ａはその信号を受信するとタグ２０ａのタイマ部２５０の第１及び第２のカウンタそれぞれをリセットする。なお、図中におけるタイマのリセットとは、第１及び第２のカウンタそれぞれのリセットを意味する。
【００４６】
そして、タグ２０ａのＵＨＦ帯送信制御部２７４が一のタイムスロットを選択する（ここでは、選択されたタイムスロットは３番目であるとする。）。その後、タグ２０ａのＵＨＦ帯送信制御部２７４は、周期Ｔ２において、タグ２０ａの第１のカウンタによる計時が選択した３番目のタイムスロットの時間帯に到達すると、ＵＨＦ帯で識別信号を送出するようタグ２０ａの小電力送信部２２０を制御する。ここでは、図５にて示すように、周期Ｔ２のうち最初の時間長Ｔ０における３番目のタイムスロットにて識別信号を送信している（ｔ２０、ｔ２１を参照。）。
【００４７】
また、タグ２０ｂは、タグ２０ｂからの識別情報を受け取った旨の内容と第１コマンドとを含むＬＦ起動信号ｔ１１を受信すると、タグ２０ｂのタイマ部２５０の第１及び第２のカウンタそれぞれをリセットする。そして、一のタイムスロットが選択される（ここでは、選択されたタイムスロットは４番目であるとする）。その後、周期Ｔ２において、タグ２０ｂの第１のカウンタによる計時が選択した４番目のタイムスロットの時間帯に到達すると、ＵＨＦ帯で識別信号が送出される。ここでは、Ｔ２のうち最初の時間長Ｔ０における４番目のタイムスロットにて識別信号を送信している（ｔ３０、ｔ３１を参照。）。
【００４８】
１．５  プレゼンスリーダ３０ａ〜３０ｄ
プレゼンスリーダ３０ａ〜３０ｄの構成要素は同じであるので、ここでは、プレゼンスリーダ３０ａについて説明する。
プレゼンスリーダ３０ａは、図６にて示すように、Ｉ／Ｆ部３１０と、通知部３３０と、小電力受信部（ＵＨＦ帯受信部）３４０と、制御部３５０とから構成される。
【００４９】
（１）Ｉ／Ｆ部３１０
Ｉ／Ｆ部３１０は、管理制御装置４０ａと予め定められた通信規格（例えばＲＳ−４８５規格）に従って通信を実行する機能を有する。具体的には、Ｉ／Ｆ部３１０は、管理制御装置４０ａから送信されてくる信号を制御部３５０に伝達する機能と、制御部３５０から伝達されてきた識別情報を管理制御装置４０ａに送信する機能を有する。
【００５０】
（２）通知部３３０
通知部３３０は、プレゼンスリーダ３０ａの化粧パネルに備えられたＬＥＤあるいはＬＣＤを用いてプレゼンスリーダ３０ａにおけるエラーの発生等の状態の通知や、認証に係る情報をユーザに通知する機能を有する。
（３）小電力受信部３４０
小電力受信部３４０は、プレゼンスリーダ３０ａが設置されたエリアＡ内にある１つ以上のタグから送信された識別信号をＵＨＦ帯でＵＨＦアンテナ３４１を介して受信し、受信した識別信号を復調して制御部３５０に伝達する機能を有する。
【００５１】
（４）制御部３５０
制御部３５０は、プレゼンスリーダ３０ａの各部を制御する機能を有する。
制御部３５０は、小電力受信部３４０から識別信号を受け取ると、識別信号に含まれる識別情報を、Ｉ／Ｆ部３１０を介して管理制御装置４０ａへ送信する。
１．６  管理制御装置４０ａ〜４０ｄ
管理制御装置４０ａ〜４０ｄは、同じ構成要素であるので、ここでは、管理制御装置４０ａについて説明する。
【００５２】
管理制御装置４０ａは、図７にて示すように、履歴情報記憶部４１０、受信台数情報記憶部４２０、第１Ｉ／Ｆ部４３０及び第２Ｉ／Ｆ部４４０から構成されている。
（１）履歴情報記憶部４１０
履歴情報記憶部４１０は、プレゼンスリーダ３０ａから送信された識別情報の受信に係る履歴情報を記憶するものである。
【００５３】
ここで、履歴情報とは、エリアＡ内に存在する１つ以上のタグ毎に送信された識別情報と、管理制御装置４０ａが当該識別情報を受信した日時を含むものである。
（２）受信台数情報記憶部４２０
受信台数情報記憶部４２０は、プレゼンスリーダ３０ａの管理対象であるエリアＡに存在するタグの台数を記憶するものである。
【００５４】
（３）第１Ｉ／Ｆ部４３０
第１Ｉ／Ｆ部４３０は、プレゼンスリーダ３０ａと予め定められた通信規格（例えばＲＳ−４８５規格）に従って通信を実行する機能を有する。具体的には、第１Ｉ／Ｆ部４３０は、プレゼンスリーダ３０ａから送信されてくる識別情報を制御部４５０に伝達する機能と、制御部４５０から伝達されてきた情報をプレゼンスリーダ３０ａに送信する機能を有する。
【００５５】
（４）第２Ｉ／Ｆ部４４０
第２Ｉ／Ｆ部４４０は、照明機器６０ａ及び空調機器７０ａと予め定められた通信規格（例えばＲＳ−４８５規格）に従って通信を実行する機能を有する。具体的には、第２Ｉ／Ｆ部４４０は、制御部４５０から伝達されてきたこれら機器の制御に係る信号を照明機器６０ａ及び空調機器７０ａに送信する機能を有する。
【００５６】
（５）制御部４５０
制御部４５０は、管理制御装置４０ａの各部を制御する機能を有する。
制御部４５０は、日時を計時する計時機能を有しており、プレゼンスリーダ３０ａから識別情報を受け取ると、計時機能により日時を取得する。制御部４５０は、受け取った識別情報と取得した日時からなる履歴情報を履歴情報記憶部４１０へ書き込む。
【００５７】
制御部４５０は、エリアＡ内に存在するタグの台数、つまり利用者の人数を定期的（例えば、５分毎）に確認し、その結果に応じて、照明機器６０ａ及び空調機器７０ａを制御する。
具体的には、制御部４５０は、履歴情報記憶部４１０に記憶されている履歴情報を基に、現在から過去５分の間において少なくとも１回受信した識別情報の個数を取得する。制御部４５０は、取得した個数に応じて、照明機器６０ａの照度が変更されるよう、及び空調の温度及び風力が変更されるよう照明機器６０ａ及び空調機器７０ａに対して制御信号を送信する。例えば、取得した個数が０個である場合には、照明機器６０ａへ照明機器６０ａの電源をオフする旨を指示する制御信号を送信し、空調機器７０ａへ空調機器７０ａの電源をオフする旨を指示する制御信号を送信する。また、取得した個数が１０個以上であれば、照明機器６０ａに対して照度を現在の設定よりも明るくする旨の制御信号を送信し、空調機器７０ａに対して温度及び風力を現在の設定よりも温度を低く及び風力を強くする旨の制御信号を送信する。
【００５８】
１．７  動作
（１）動作概要
ここでは、タグリーダ１０ａ、１０ｂ、タグ２０ａ及びプレゼンスリーダ３０ａを用いて、プレゼンス管理システム１の動作に概要について、図８に示す流れ図を用いて説明する。
【００５９】
タグリーダ１０ａは、周期Ｔ０内に１回、識別情報を要求する旨を含むＬＦ起動信号を発報する（ステップＳ５）。以下において、識別情報を要求する旨を含むＬＦ起動信号をＬＦ起動信号（要求）と記載する。
タグ２０ａは、ＬＦ起動信号（要求）を受信すると、ＬＦ帯で識別信号をタグリーダ１０ａへ送信する（ステップＳ１０）。
【００６０】
タグリーダ１０ａは、タグ２０ａから識別信号を受信した後、ＬＦ起動信号を発報する際には、識別情報を受け取った旨の内容と、第１コマンドとを含めて発報する（ステップＳ１５）。以下において、識別情報を受け取った旨の内容を含むＬＦ起動信号（応答）と記載する。また、タグリーダ１０ａは、識別信号を受信すると、認証処理をも行っている。
【００６１】
タグ２０ａは、第１コマンドを含むＬＦ起動信号（応答）を受信すると、タイマ部２５０の第１及び第２のカウンタそれぞれをリセットして、ＵＨＦ帯で識別信号を送信するためのタイムスロットを選択して、周期Ｔ２内に１回、選択したタイムスロットにてＵＨＦ帯で識別信号を送信する（ステップＳ２０、Ｓ２５）。このとき、プレゼンスリーダ３０ａは、タグ２０ａからＵＨＦ帯で送信された識別信号を受信する。プレゼンスリーダ３０ａは、受信した識別信号に含まれる識別情報を管理制御装置４０ａへ送信し、管理制御装置４０ａは、プレゼンスリーダ３０ａから送信された識別信号を含む履歴情報を記憶するととも、記憶している履歴情報を用いて定期的に照明機器６０ａ及び空調機器７０ａの制御を行う。
【００６２】
タグリーダ１０ｂは、周期Ｔ０内に１回、ＬＦ起動信号（要求）を発報する（ステップＳ３０）。
タグ２０ａは、ＬＦ起動信号（要求）を受信すると、ＬＦ帯で識別信号をタグリーダ１０ａへ送信する（ステップＳ３５）。
タグリーダ１０ｂは、タグ２０ａから識別信号を受信した後、ＬＦ起動信号（応答）を発報する際には、第２コマンドを含めて発報する（ステップＳ４０）。タグ２０ａは、第２コマンドが含まれたＬＦ起動信号（応答）を受信すると、ＵＨＦ帯での識別信号の送信を抑止する。
【００６３】
（２）ＬＦ起動信号（応答）の受信時の動作
以下において、タグ２０ａ〜２０ｇが、ＬＦ起動信号（応答）の受信した場合における動作（送信許可フラグの変更処理）について、図９にて示す流れ図を用いて説明する。
タグ２０ａ〜２０ｇは同様の動作を行うので、ここでは、タグ２０ａの動作について説明する。
【００６４】
タグ２０ａのＬＦ帯送受信部２１０は、タグリーダ１０ａ、１０ｂからＬＦ起動信号（応答）を受信する（ステップＳ１００）。
ＬＦ帯送受信制御部２７１は、受信したＬＦ起動信号（応答）に第１コマンドが含まれるか否かを判断する（ステップＳ１０５）。
第１コマンドが含まれると判断する場合（ステップＳ１０５における「Ｙｅｓ」）、ＬＦ帯送受信制御部２７１は、フラグ記憶部２７３に記憶されている送信許可フラグの値を１に設定する（ステップＳ１１０）。第１コマンドが含まれない、つまり第２コマンドが含まれると判断する場合（ステップＳ１０５における「Ｎｏ」）、ＬＦ帯送受信制御部２７１は、送信許可フラグの値を０に設定する（ステップＳ１１５）。
【００６５】
タイマリセット部２７２は、タイマ部２５０の第１及び第２のカウンタの値をリセットする（ステップＳ１２０）。
（３）ＵＨＦ帯での識別信号の送信処理
以下において、タグ２０ａ〜２０ｇが、ＵＨＦ帯での識別信号の送信処理について、図１０にて示す流れ図を用いて説明する。
【００６６】
タグ２０ａ〜２０ｇは同様の動作を行うので、ここでは、タグ２０ａの動作について説明する。
タグ２０ａのＵＨＦ帯送信制御部２７４は、識別信号の送信に用いる一のタイムスロットを選択する（ステップＳ２００）。
ＵＨＦ帯送信制御部２７４は、第１のカウンタの計時が前記選択したタイムスロットに到達したか否かを判断する（ステップＳ２０５）。
【００６７】
第１のカウンタの計時が前記選択したタイムスロットに到達したと判断する場合（ステップＳ２０５における「Ｙｅｓ」）、ＵＨＦ帯送信制御部２７４は、フラグ記憶部２７３に記憶されている送信許可フラグの値が１であるか否かを判断する（ステップＳ２１０）。値が１であると判断する場合（ステップＳ２１０における「Ｙｅｓ」）、ＵＨＦ帯送信制御部２７４は、識別信号を小電力送信部２２０に送信させる（ステップＳ２１５）。
【００６８】
第１のカウンタの計時が前記選択したタイムスロットに到達していないと判断する場合（ステップＳ２０５における「Ｎｏ」）、値が１でない、つまり値は０であると判断する場合（ステップＳ２１０における「Ｎｏ」）及びステップＳ２１５による識別信号の送信後、処理はステップＳ２０５へ戻る。
１．８  変形例
上記実施の形態において、本発明の実施の手法について説明してきたが、本発明の実施形態がこれに限られないことは勿論である。以下、上記実施形態以外に本発明として含まれる各種の変形例について説明する。
【００６９】
（１）上記実施の形態において、タイムスロットの選択方法は、ランダムに選択するものであってもよい。
または、予め決められたタイムスロットを選択するものであってもよい。具体的には、時間長Ｔ０において時間長Ｔ１で分割される各タイムスロットに順次番号を予め対応付けておき、各タグは、対応付けられている番号のうち一の番号を予め記憶しておくことで、識別信号の送信に用いるタイムスロットを選択することができる。
【００７０】
（２）上記実施の形態において、タイムスロットはタグ自身で選択したが、これに限定されない。
タグリーダ１０ａがＵＨＦ帯での識別信号の送信に用いるタイムスロットを指定してもよい。
具体的には、タグリーダ１０ａは、ｎ個のタイムスロットを順次番号（１〜ｎ）を付与しておき、認証がなされた順に、１〜ｎのタイムスロットを順次各タグに割り当てる。
【００７１】
または、一定個数ずつ飛ばしのタイムスロットの番号を割り当てるとしてもよい。または、新しく割り当てるタイムスロットを、直前に割り当てられたタイムスロットから時間的に最も離れたタイムスロットとなるよう番号を選択するとしてもよい。
（３）上記実施の形態において、プレゼンスリーダ３０ａ〜３０ｄへ識別信号を送信する際のＵＨＦ帯の周波数は、すべてのタグに対して同一のものであるとしてもよいし、それぞれ対して異なるものとしてもよい。
【００７２】
または、タグリーダ１０ａがＵＨＦ帯での識別信号を送信に用いる周波数を指定してもよい。
または、タグそれぞれが、プレゼンスリーダ３０ａ〜３０ｄへ識別信号を送信する際に、ＵＨＦ帯のうち複数の周波数チャネルから一の周波数を選択して、選択した一の周波数により識別信号を送信してもよい。
【００７３】
（４）上記実施の形態において、タイムスロットの時間長Ｔ１は、識別信号の送信開始から終了までの時間長として、一のタイムスロットにおいてＵＨＦ帯で識別信号を１回送信するとしたが、これに限定されない。
識別信号の送信開始から終了までの時間長をＴ１’とした場合、タイムスロットの時間長Ｔ１を時間長Ｔ１’以上とし、つまり、Ｔ１≧ｑ×Ｔ１’（ｑは１以上の整数）として、一のタイムスロット内にＵＨＦ帯で識別信号をｑ回送信するとしてもよい。
【００７４】
（５）上記実施の形態において、第１のコマンドを含む識別信号（応答）を受信した以降は、常に周期Ｔ２毎にＵＨＦ帯で識別信号を送信するとしたが、これに限定されない。
タイマ部２５０の第１及び第２のカウンタがリセットされた後、所定の時間（例えば、ｒ×Ｔ２（ｒは２以上の整数））が経過した後は、周期を変更して、例えば周期Ｔ３（＞Ｔ２）毎にＵＨＦ帯で識別信号を送信するとしてもよい。
【００７５】
図１１において、この場合におけるタグ２０ａがＵＨＦ帯で識別信号の送信を行うタイミングを示す。ここでは、周期Ｔ３＝５×Ｔ０＝５／３×Ｔ２＞Ｔ２としている。
タグリーダ１０ａがタグ２０ａからの識別情報を受け取った旨の内容と第１コマンドとを含むＬＦ起動信号ｔ１００を送信する。タグ２０ａはその信号を受信するとタグ２０ａの第１及び第２のカウンタそれぞれをリセットする。そして、タグ２０ａのＵＨＦ帯送信制御部２７４が一のタイムスロットを選択する（ここでは、選択されたタイムスロットは３番目であるとする）。その後、タグ２０ａのＵＨＦ帯送信制御部２７４は、周期Ｔ２において、タグ２０ａの第１のカウンタによる計時が選択した３番目のタイムスロットの時間帯に到達すると、ＵＨＦ帯で識別信号を送出するようタグ２０ａの小電力送信部２２０を制御する。ここでは、図５にて示すように、周期Ｔ２のうち最初の時間長Ｔ０における３番目のタイムスロットにて識別信号を送信している（ｔ２００、ｔ２０１、ｔ２０２を参照。）。
【００７６】
タグ２０ａは、第１コマンドとを含むＬＦ起動信号ｔ１００を受信した後、つまりは第１及び第２のカウンタをリセットした後、所定の時間（ｒ×Ｔ２）が経過すると、識別信号を送信する周期をＴ２からＴ３へと変更して、識別信号の送信を継続する（ｔ２１０、ｔ２１１を参照。）。このとき、例えば、第２のカウンタの計時の周期を時間長Ｔ２から時間長Ｔ３へと変更する。
【００７７】
なお、図１１では、タグ２０ａは、周期Ｔ３に用いるタイムスロットと、周期Ｔ２で用いたタイムスロットとを同じものとしているが、周期が切り替わる際に、再度、使用するタイムスロットを選択してもよい。
（６）上記実施の形態において、管理対象フロア２への出入り口を１つして説明したが、これに限定されない。
【００７８】
管理対象フロア２への出入り口は複数あってもよい。
この場合、各出入り口毎に、入室用のタグリーダ１０ａと退出用のタグリーダ１０ｂが備えられて、各タグリーダの同期を取るための制御装置を備えることで実現できる。
制御装置は、各タグリーダに対してポーリングを行うことで、各タグリーダが同期するよう制御する。または、各タグリーダに同期信号を送信することで、各タグリーダが同期するよう制御する。
【００７９】
これにより、利用者は、どの出入り口から入室しても、各タグの同期はとれていることになる。
（７）上記実施の形態において、管理対象フロア２は１つとして説明したが、これに限定されない。管理対象フロア２は複数あってもよい。
この場合、各フロアの出入り口毎に、入室用のタグリーダ１０ａと退出用のタグリーダ１０ｂが備えられて、各タグリーダの同期を取るための制御装置を備えることで実現できる。同期方法は、上述しているので、ここでの説明は省略する。
【００８０】
上記の場合は、各タグリーダ１０ａからＬＦ起動信号（応答）を受信する度に、タグ２０ａ〜２０ｇは、タイマ部２５０の第１及び第２のカウンタそれぞれをリセットする構成となっている。
しかしながら、各フロア毎にタグリーダ１０ａが存在する場合に、各タグリーダの同期をとり、ＬＦ起動信号（応答）を受信する度に、タグ２０ａ〜２０ｇは、第１及び第２のカウンタそれぞれをリセットする構成とする必要はない。
【００８１】
特定のタグリーダからのＬＦ起動信号（応答）を受信した場合にのみ、タグ２０ａ〜２０ｇは、タイマ部２５０の第１及び第２のカウンタをリセットするとしてもよい。例えば、特定のタグリーダとは、利用者が最初に必ず入室するフロア（例えばビルであれば、１階フロア）の出入り口に設けられたタグリーダである。この場合、特定のタグリーダは発報するＬＦ起動信号（応答）には、自身が特定のタグリーダである旨の情報が含まれている。
【００８２】
これにより、タグ２０ａ〜２０ｇは、必ず第１及び第２のカウンタをリセットして同期をとるので、その後、他フロアの入室の認証時に同期を取る必要はない。また、各タグリーダの同期をとるための制御装置を設ける必要もない。
（８）上記実施の形態において、ＵＨＦ帯での識別信号の送信の抑止を送信許可フラグの値に基づいて行ったが、これに限定されない。
【００８３】
ＵＨＦ帯での識別信号の送信の抑止は、ボタン２４０による操作にて抑止を行ってもよいし、送信処理が起動されてから一定時間（例えば８時間）を経過すると抑止するとしてもよい。
（９）上記実施の形態において、識別信号の送信処理の起動時にタイムスロットが選択される構成としているが、これに限定されない。
【００８４】
第１コマンドを含むＬＦ起動信号（応答）を受信する度、つまりは送信許可フラグに値１を設定する度に、タイムスロットが選択される構成としてもよい。
または、ＵＨＦ帯で識別信号を送信する周期Ｔ２毎に、タイムスロットを選択するとしてよい。
（１０）上記実施の形態において、プレゼンスリーダ３０ａ〜３０ｄへ送信される識別信号は、時間長Ｔ２のうち最初に現れる時間長Ｔ０内の一のタイムスロット（選択されたタイムスロット）でＵＨＦ帯を用いて送信されたが、これに限定されない。
【００８５】
ＵＨＦ帯で識別信号が送信されるタイミングは、時間長Ｔ２において分割された複数の時間長Ｔ０のうちどの時間長Ｔ０内で行われてもよい。
この場合、ＵＨＦ帯送信制御部２７４は、１つの制御用カウンタを有する代わりに、第１の制御用カウンタと第２の制御用カウンタとを有する。第１の制御カウンタは、初期値が１であり、タイマ部２５０の第１のカウンタにて時間長Ｔ１が計時される度に、つまり初期値０へ戻る度に、値を１ずつカウントアップする。第１の制御用カウンタは、タイムスロットの個数、つまり値ｎに到達すると、ＵＨＦ帯送信制御部２７４により初期値１へリセットされる。第２の制御用カウンタは、初期値１であり、第１の制御用カウンタがリセットされると、値１ずつカウントアップされる。第１の制御用カウンタは、時間長Ｔ２内における時間長Ｔ０の個数、つまり値ｍ（ここでは、ｍ＝３）に到達すると、ＵＨＦ帯送信制御部２７４により初期値１へリセットされる。
【００８６】
ＵＨＦ帯送信制御部２７４は、予め記憶しているタイムスロットの個数（ここでは、値５）のうち一の値をランダムに選択する（以下、第１の選択値という。）。さらに、ＵＨＦ帯送信制御部２７４は、時間長Ｔ２内における時間長Ｔ０の個数（ここでは、値３）をも予め記憶しており、その個数から一の値をランダムに選択する（以下、第２の選択値という。）。
【００８７】
ＵＨＦ帯送信制御部２７４は、第２の制御用カウンタの値が第２の選択値と同一となり、且つ第１の制御用カウンタの値が第１の選択値と同一になったときに、ＵＨＦ帯送信制御部２７４は、選択した一のタイムスロットの時間帯に到達したと判断する。
これにより、ＵＨＦ帯で識別信号が送信されるタイミングは、時間長Ｔ２において分割された複数の時間長Ｔ０のうちいずれかの時間長Ｔ０内で行われることになる。
【００８８】
（１１）上記実施の形態において、タグ２０ａ〜２０ｇは、ＵＨＦ帯での識別信号を時間長Ｔ２において１回送信したが、これに限定されない。
タグ２０ａ〜２０ｇは、ｍが２以上の整数である場合において、時間長Ｔ２において分割されたｍ個の時間長Ｔ０のうちｐ個（ｐは２以上ｍ以下の整数）の時間長Ｔ０を用いて、ＵＨＦ帯で識別信号をｐ回送信してもよい。
【００８９】
この場合、ＵＨＦ帯送信制御部２７４が、上述した第２の選択値を、時間長Ｔ２内における時間長Ｔ０の個数（ここでは、値３）から１つ以上選択することで実現できる。
（１２）上記実施の形態において、第１のカウンタは、初期値０から時間長Ｔ１までカウントアップするとしたが、これに限定されない。
第１のカウンタは、初期値をＴ１とし、Ｔ１から値０までカウントダウンする計時方法であってもよい。
【００９０】
また、第２のカウンタについても同様に、初期値をｍ×ｎとし、Ｔ２から値１までカウントダウンする計時方法であってもよい。
（１３）上記実施の形態において、タグとプレゼンスリーダとの間では、一方向（タグからプレゼンスリーダへの方向）の通信としたが、これに限定されない。
タグとプレゼンスリーダとの間において、双方向通信を行ってもよい。例えば、プレゼンスリーダは、タグから識別信号を受け取ると、その応答として受け取った識別信号に含まれる識別情報を含めた応答信号を送信する。タグは、自身の識別情報が含まれる応答信号を受信することで、プレゼンスリーダとの通信がなされている、つまり、管理対象のエリアに居ることを認識する。タグは、一定時間（例えば、５分）の間、自身の識別情報が含まれる応答信号を受信しない場合には、管理対象のエリアには居ないと判断し、ＵＨＦ帯での識別情報の定期的な送信を抑止する。
【００９１】
（１４）上記実施の形態において、プレゼンスリーダと管理制御装置とを個別ものとしたが、これに限定されない。
プレゼンス管理システム１は、プレゼンスリーダと管理制御装置と１つの装置として実現されてもよい。
（１５）上記実施の形態において、周期Ｔ２は、時間長Ｔ０のｍ倍（ｍは１以上の整数）であるとしたが、これに限定されない。
【００９２】
周期Ｔ２は、時間長Ｔ１の整数倍であり、且つ時間長Ｔ０（＝ｎ×Ｔ１）以上であればよい。ここで、ｎは、１以上の整数であり、ここでは、実施の形態と同様にｎ＝５とする。
例えば、時間長Ｔ２＝ｎ’×Ｔ１（ｎ’はｎより大きい整数。）とし、第２のカウンタが値ｎ’に到達後、第１のカウンタが初期値０へ戻ると、当該第２のカウンタの値も初期値１へと戻るようにすることで、実現できる。
【００９３】
（１６）上記実施の形態において、タグ２０ａ〜２０ｇは、周期Ｔ２にて分割される複数の時間長Ｔ０のうち一の時間長Ｔ０内においてタイムスロットを選択したが、これに限定されない。
周期Ｔ２≧ｓ×Ｔ０（ｓ×ｎ×Ｔ１）である場合において、Ｔ２に存在するｓ×ｎ個の時間長Ｔ１のタイムスロットから一のタイムスロットを選択してもよい。
【００９４】
（１７）上記実施の形態において、タグ２０ａ〜２０ｇは、管理対象フロア２への入退出時の認証に用いるとしたが、これに限定されない。
タグ２０ａ〜２０ｇは、プレゼンス管理のみに用い、認証には非接触ＩＣカードのみが用いられるとしてもよい。
この場合、タグリーダ１０ａのＬＦ帯送受信部１４０は第１コマンドを含むＬＦ起動信号のみを周期的に発報し、タグリーダ１０ｂのＬＦ帯送受信部１４０は第２コマンドを含むＬＦ起動信号のみを周期的に発報する。
【００９５】
（１８）上記の実施の形態において、管理制御装置４０ａ〜４０ｄは、制御対象として照明機器６０ａ〜６０ｄ及び空調機器７０ａ〜７０ｄとしたが、これに限定されない。
制御対象としては、これら以外に電動カーテン等のように、電力を消費することで動作する電気機器であればよい。
（１９）上記実施の形態において、図３にて示すように、ＬＦ起動信号の送信時間（ＬＦ信号の送信開始から終了までの時間）は、時間長Ｔ１、つまりＵＨＦ帯で送信される識別信号の送信時間帯と同一であるとしているが、これに限定されない。
【００９６】
ＬＦ起動信号を送信する周期Ｔ０が時間長Ｔ１の整数倍となっていればよく、ＬＦ起動信号の送信時間と時間長Ｔ１とに依存関係がある必要はない。
（２０）上記の実施の形態で説明した手法は装置や集積回路で実現されてもよい。また、上記の手法の手順を記述したプログラムをメモリに記憶しておき、ＣＰＵ（Ｃｅｎｔｒａｌ  Ｐｒｏｃｅｓｓｉｎｇ  Ｕｎｉｔ）などがメモリからプログラムを読み出して、読み出したプログラムを実行することによって、上記の手法が実現されるようにしてもよい。
【００９７】
（２１）上記の実施の形態で説明した手法の手順を記述したプログラムを記録媒体に格納して、頒布するようにしてもよい。
（２２）上記実施の形態において、管理制御装置４０ａ〜４０ｄは、エリアに存在するタグの個数に基づいて、照明機器６０ａ〜６０ｄ及び空調機器７０ａ〜７０ｄの制御を行ったが、これに限定されない。
【００９８】
管理制御装置４０ａ〜４０ｄは、受信したタグの識別情報に基づいて、照明機器６０ａ〜６０ｄ及び空調機器７０ａ〜７０ｄの制御を行ってもよい。例えば、管理制御装置４０ａは、識別情報がある特定の識別子Ａを受信した場合には、対応する照明機器６０ａの照度を明るくするよう制御してもよい。また、管理制御装置４０ａは、識別情報がある特定の識別子Ｂを受信すると、対応する空調機器７０ａに対して温度を現在設定されている温度よりも低くするよう制御してもよい。
【００９９】
これにより、タグを保持している個人毎に照明機器や空調機器の制御することができる。
（２３）上記実施の形態及び上記変形例をそれぞれ組み合わせるとしてもよい。
（２４）本発明におけるタグ管理システムとは、上記実施の形態におけるプレゼンス管理システム１に相当する。
【０１００】
また、発報装置とは上記実施の形態におけるタグリーダ１０ａに相当し、受信装置とは上記実施の形態におけるプレゼンスリーダ３０ａ〜３０ｄに相当する。
また、確認信号とは、上記実施の形態におけるＬＦ起動信号、特に第１コマンドを含むＬＦ起動信号に相当する。
【符号の説明】
【０１０１】
１    プレゼンス管理システム
２    管理対象フロア
１０ａ、１０ｂ  タグリーダ（ＴＲ）
２０ａ〜２０ｇ  タグ
３０ａ〜３０ｄ  プレゼンスリーダ（ＰＲ）
４０ａ〜４０ｄ  管理制御装置
５０    ゲート制御装置（ＧＵ）
６０ａ〜６０ｄ  照明機器
７０ａ〜７０ｄ  空調機器
１１０    Ｉ／Ｆ部
１３０    通知部
１４０    ＬＦ帯送受信部
１４１    ＬＦアンテナ
１５０    小電力受信部
１５１    ＵＨＦアンテナ
１６０    ＨＦ帯送受信部
１６１    ＨＦアンテナ
１７０    記憶部
１７１    認証情報
１８０    制御部
２１０    ＬＦ帯送受信部
２１１    ＬＦアンテナ
２２０    小電力送信部
２２１    ＵＨＦアンテナ
２３０    メモリ
２３１    識別情報
２４０    ボタン
２５０    タイマ
２６０    電池
２７０    制御部
２７１    ＬＦ帯送受信制御部
２７２    タイマリセット部
２７３    フラグ記憶部
２７４    ＵＨＦ帯送信制御部
３１０    Ｉ／Ｆ部
３３０    通知部
３４０    小電力受信部
３４１    ＵＨＦアンテナ
３５０    制御部
４１０    履歴情報記憶部
４２０    受信台数情報記憶部
４３０    第１Ｉ／Ｆ部
４４０    第２Ｉ／Ｆ部
４５０    制御部
【図１】
2011071717.tif 000003
【図２】
2011071717.tif 000004
【図３】
2011071717.tif 000005
【図４】
2011071717.tif 000006
【図５】
2011071717.tif 000007
【図６】
2011071717.tif 000008
【図７】
2011071717.tif 000009
【図８】
2011071717.tif 000010
【図９】
2011071717.tif 000011
【図１０】
2011071717.tif 000012
【図１１】
2011071717.tif 000013
【図１２】
2011071717.tif 000014